(57)【要約】      （修正有）【課題】各職種において、現場で必要な情報が記載されており、簡単に持ち運びでき、丈夫であって、且つ素早くこの情報を確認するために各情報を検索可能なサポートブックを提供する。【解決手段】衣類のポケットに収納可能な大きさ及びページ数で構成され、各ページの短辺のうちのいずれか一方の短辺において、各ページがリング１４によってリング綴じされており、表紙１２、裏紙、及び各ページは耐水紙で構成されている。【選択図】図１
0003226341.tif 000002
【実用新案登録請求の範囲】
【請求項１】
衣類のポケットに収納可能な大きさ及びページ数で構成され、
各ページの短辺のうちのいずれか一方の短辺において、各ページがリング綴じされており、
表紙、裏紙、及び各ページは耐水紙で構成されていることを特徴とするポケットサイズサポートブック。
【請求項２】
裏紙の裏面には、長さを測定可能となるように、スケールの目盛りが裏紙の天以外の３辺のうちのいずれか1辺の端面に沿って印刷されていることを特徴とする請求項１記載のポケットサイズサポートブック。
【請求項３】
裏紙の裏面には、円の大きさを測定可能となるように、異なる半径の複数の半円が裏紙の一方の短辺以外の３辺のうちのいずれか１辺の端面に沿って印刷されていることを特徴とする請求項１記載のポケットサイズサポートブック。
【請求項４】
裏紙の裏面には、円の大きさを測定可能となるように、異なる半径の複数の半円が、裏紙の一方の短辺以外及び前記スケールの目盛りが印刷されている辺以外の２辺のうちのいずれか１辺の端面に沿って印刷されていることを特徴とする請求項２記載のポケットサイズサポートブック。
【請求項５】
他方の短辺において、記載されている内容が項目別に記載された複数のインデックスタブが設けられていることを特徴とする請求項１〜請求項４のうちのいずれか1項記載のポケットサイズサポートブック。
【考案の詳細な説明】
【技術分野】
【０００１】
本考案は、ポケットサイズのサポートブックに関する。
【背景技術】
【０００２】
特許文献１のように、救急搬送時や医療行為時において、搬送、処置、救命及び医療行為を受ける際に有用な個人に関する情報の記入欄を有する医療情報記入ページと、健康保険証、診察券、消耗品、常用薬などを収容する収容部とが設けられた、救命時及び医療行為を受診時に役立つ手帳が提案されている。
【先行技術文献】
【特許文献】
【０００３】
【特許文献１】実用新案登録第３２２０９８号
【考案の概要】
【考案が解決しようとする課題】
【０００４】
上述した特許文献１では、個人が自らの病歴や既往症などを記入しておくことができるため、医療従事者はそれを見れば適切な治療を施すことができるものである。
一方、医療従事者にとって、個人の特定の病歴や既往症以外に、様々な医療に必要な情報を学習し把握しておく必要がある。しかしながら医療に関して学習しなくてはならない情報量は膨大であり、すべてを完全に記憶しておくことが困難な場合もある。医療従事者がデスクで仕事をしている場合には、参考になる書籍などを身近に置いておくことができ、これら書籍を参考にすることにできるが、治療現場など参考になる書籍が無い場所であっても医療に関する情報を簡単に確認することが望まれている。
【０００５】
現場において、特定の情報を簡単に確認したい職種としては医療従事者に限られない。
例えば、警察官においても窃盗、風紀、薬物など様々な犯罪がある中で、現場において各犯罪に適合した法律や手続きを簡単に確認したいという要望もある。
その他として、消防団、救急救命士など様々な職種においても同様の課題がある。
【０００６】
このように、これら各職種において、現場で必要な情報を確認するためには、簡単に持ち運びでき、丈夫であって、且つ検索しやすいように構成された本が必要であるという課題がある。
【０００７】
そこで、本考案は上記課題を解決すべくなされ、その目的とするところは、各職種において、現場で必要な情報が記載されており、簡単に持ち運びでき、丈夫であって、且つ素早くこの情報を確認するために各情報を検索可能なサポートブックを提供することにある。
【課題を解決するための手段】
【０００８】
本考案にかかるポケットサイズサポートブックによれば、衣類のポケットに収納可能な大きさ及びページ数で構成され、各ページの短辺のうちのいずれか一方の短辺において、各ページがリング綴じされており、表紙、裏紙、及び各ページは耐水紙で構成されていることを特徴としている。
この構成を採用することによって、衣類のポケットに収納できるために常に持ち歩くことができる。そして、一方の短辺においてリング綴じしているため、ページがめくりやすくなり、また、めくったページは裏側に回しておくことができるため、コンパクトな構成のまま内容を確認することができる。さらに、耐水紙を用いることによって常に持ち歩いていても耐久性が高く、破損のおそれが少ない。
【０００９】
また、裏紙の裏面には、長さを測定可能となるように、スケールの目盛りが裏紙の天以外の３辺のうちのいずれか1辺の端面に沿って印刷されていることを特徴としてもよい。
この構成によれば、現場において、容易に長さ測定が可能である。
【００１０】
また、裏紙の裏面には、円の大きさを測定可能となるように、異なる半径の複数の半円が裏紙の一方の短辺以外の３辺のうちのいずれか１辺の端面に沿って印刷されていることを特徴としてもよい。
この構成によれば、現場において、容易に円の径の測定が可能である。
【００１１】
また、裏紙の裏面には、円の大きさを測定可能となるように、異なる半径の複数の半円が、裏紙の一方の短辺以外及び前記スケールの目盛りが印刷されている辺以外の２辺のうちのいずれか１辺の端面に沿って印刷されていることを特徴としてもよい。
この構成によれば、現場において、容易に長さ測定ができ且つ円の径の測定が可能である。
【００１２】
また、他方の短辺において、記載されている内容が項目別に記載された複数のインデックスタブが設けられていることを特徴としてもよい。
この構成によれば、項目ごとのインデックスタブを設けたことにより、必要な個所の検索が容易に行われる。
【考案の効果】
【００１３】
本考案のポケットサイズサポートブックによれば、簡単に持ち運びでき、丈夫であって、且つ素早くこの情報を確認するために各情報を検索可能である。
【図面の簡単な説明】
【００１４】
【図１】ポケットサイズサポートブックの第１の実施形態の表紙を正面から見たところを示す説明図である。
【図２】ポケットサイズサポートブックの第１の実施形態のページをめくったところを示す説明図である。
【図３】ポケットサイズサポートブックの第1の実施形態の裏紙を正面から見たところを示す説明図である。
【図４】ポケットサイズサポートブックの第２の実施形態の表紙を正面から見たところを示す説明図である。
【図５】ポケットサイズサポートブックの第２の実施形態のページをめくったところを示す説明図である。
【図６】ポケットサイズサポートブックの第２の実施形態の裏紙を正面から見たところを示す説明図である。
【考案を実施するための形態】
【００１５】
以下、本実施形態に係るポケットサイズサポートブックを図面に基づいて説明する。
図１〜図３にポケットサイズサポートブックの第１の実施形態を示す。
ポケットサイズサポートブック１０は、長辺が約１２．５ｃｍ、短辺が約８ｃｍの耐水紙により各ページが構成され、１００ページ程度のページ数で約１ｃｍ程度の厚さ（リング部分を除く）となるような構成である。
このようにポケットサイズサポートブック１０は耐水紙で製造されているため、耐水性が良く、汚れが付かず、また破れたりすることがなく破損にも強い。
【００１６】
ポケットサイズサポートブック１０は、短辺の一方を天、他方を地としており、天においてリング１４によってリング綴じされている。
本実施形態におけるリング１４は例えば合成樹脂製であって、一重のらせん状に形成されている。各ページの短辺の上部には、リング１４を貫通させるための穴１５が短辺に沿って複数個形成されている。本実施形態では、リング１４を貫通させるための穴１５は、リング１４の断面形状に合わせて円形の穴としている。また穴１５の数は、リング１４の巻き数と同数である。
【００１７】
このように、ポケットサイズサポートブック１０は上をリング綴じしたことで、めくったページを裏側に回しておくことができる。このため、コンパクトな構成のまま内容を確認することができる。
【００１８】
表紙１２には、対象となる職種の名称などを記載する。例えば医療従事者向けであれば医療従事者向けである記載、警察官向けであれば警察官向けである記載が印刷される。
表紙１２の裏面には目次が記載されている。目次は表紙１２の裏面と表紙の次のページにまたがって記載されてもよい。
ただし、目次は必ずしも記載されていなくてもよい。
【００１９】
またポケットサイズサポートブック１０は、地に項目ごとのインデックスタブを設けている。本実施形態では、本文中の内容を６つに項目分けしているため、６つのインデックスタブ１６ａ〜１６ｆが設けられている。各インデックスタブ１６ａ〜１６ｆには、それぞれの項目が記載される。
例えば、医療従事者向けの場合には、解剖、画像解読、母性・小児、指標・基準、観察・検査、栄養管理、略語などの項目が記載される。
また例えば、警察官向けの場合には、捜査手続、強行犯、知能犯、盗犯、風紀犯、薬物犯、性犯罪、ストーカー、暴力団、外国人などの項目が記載される。
【００２０】
インデックスタブ１６ａ〜１６ｆは、表紙１２の下端部よりも下方に突出して形成されているため見やすく、利用者は調べたい項目や確認したい項目がある場合であっても、必要な個所の検索が容易に行える。
また、ポケットサイズサポートブック１０のインデックスタブは、表紙１２及び裏紙１８を除くすべてのページに設けられている。つまり、同じ項目に含まれるページには同じ位置にインデックスタブが設けられているため、現在開いているページの項目が容易に判断できる。
【００２１】
本実施形態におけるインデックスタブ１６ａ〜１６ｆは、ページの小さい順から左から右へ移行するように設けられている。しかし、ページの小さい順から右から左へ移行するように設けてもよい。
【００２２】
各項目のページにはどのような内容が記載されるか、その一例を説明する。
例えば、医療従事者向けのポケットサイズサポートブック１０の場合、解剖の項目のページは、解剖図と各血管の名称などが記載される。また画像解読の項目のページは、ＣＴ画像と各部名称や模式解剖図と各部名称などが記載される。また母性・小児の項目のページは、予防接種スケジュールや乳児のＪＣＳ（意識レベルの評価）などが記載される。また指標・基準の項目のページは、ショック分類、ＡＲＤＳ基準、ＤＩＣ診断基準などが記載される。また観察・検査の項目のページは、バイタルサイン標準値、循環動態のモニターの指標などが記載される。また栄養管理の項目のページは、エネルギー消費、褥瘡経過評価などが記載される。略語の項目のページは、抗菌薬の略称とその一般名及び商品名や、医療業界で用いられるアルファベットで表示される略語の正式名称などが記載される。
【００２３】
さらに例えば、警察官向けのポケットサイズサポートブック１０の場合、捜査手続の項目のページは、刑事手続の流れや告訴・告発の受理などについて記載される。また強行犯の項目のページは、強行犯に該当する暴行罪、傷害罪、傷害致死罪などについて記載される。また知能犯の項目のページは、有印私文書偽造罪、詐欺罪などについて記載される。また盗犯の項目のページは、窃盗罪、住居侵入罪などについて記載される。また風紀犯の項目のページは、風営適正化法違反などについて記載される。また薬物犯の項目のページは、覚せい剤取締法違反などについて記載される。また性犯罪の項目のページは、強制わいせつ罪、強制性交等などについて記載される。またストーカーの項目のページは、ストーカー規制法違反などについて記載される。また暴力団の項目のページは、暴力団対策法などについて記載される。また外国人の項目のページは、入管法違反などについて記載される。
【００２４】
裏紙１８には、スケールの目盛り２０が裏紙１８の天以外の３辺のうちのいずれか1辺の端面に沿って印刷されている。本実施形態では、裏紙１８の左側の長辺の端面に沿って長さ１０ｃｍのスケールの目盛り２０が印刷されている。
このため現場で長さを測定したい場合にも容易に長さを測定することができる。
【００２５】
さらに、裏紙１８には、異なる半径の複数の半円２２が、裏紙の天以外及びスケールの目盛りが印刷されている辺以外の２辺のうちのいずれか１辺の端面に沿って印刷されている。
本実施形態では、裏紙１８の地の短辺の端面に沿って、複数の半円２２が印刷されている。半円２２は、裏紙１８を正面から見て、左から直径１ｍｍ、直径２ｍｍ、直径３ｍｍ、直径４ｍｍ、直径５ｍｍ、直径６ｍｍ、直径７ｍｍ、直径８ｍｍと８つの半円が印刷されている。
このため現場で何らかの径を測定した場合に容易に測定することができる。
【００２６】
次に、図４〜図６にポケットサイズサポートブックの第２の実施形態を示す。なお、上述した実施形態と同一の構成要素については同一の符合を付し、説明を省略する。
本実施形態では、リング綴じのためのリングが第１の実施形態とは異なっている。
本実施形態のリング３０は、金属製のダブルループリングを採用している。金属製のダブルループリングを採用することにより、変形や破損に強いというメリットがある。
また、本実施形態のポケットサイズサポートブック１０におけるリング綴じ用の穴３２は、四角形状に形成されている。
【００２７】
なお、上述してきた各実施形態におけるリング綴じ用のリングは、各ページの差し替えができない形態のものについて説明した。
しかし、リング綴じ用のリングとしては、リング部分を開けることができる構造のものを採用することもできる。開けることができるリング綴じ用のリングを採用することによって、ページの差し替えが可能となる。
【００２８】
なお、上述してきた各実施形態では、短辺のうちの一方を天とし、天をリング綴じする構成について説明した。
しかし、ポケットサイズサポートブックの形態としては、長辺のうちの一方を天とし、表紙の左側の短辺においてリング綴じするような構成、つまり横長となるような横綴じであってもよい。
【００２９】
以上本発明につき好適な実施形態を挙げて種々説明したが、本発明はこの実施形態に限定されるものではなく、発明の精神を逸脱しない範囲内で多くの改変を施し得るのはもちろんである。
【符号の説明】
【００３０】
１０  ポケットサイズサポートブック
１２  表紙
１４  リング
１５  穴
１６ａ〜１６ｆ  インデックスタブ
１８  裏紙
２０  目盛り
２２  半円
３０  リング
３２  穴
【図１】
0003226341.tif 000003
【図２】
0003226341.tif 000004
【図３】
0003226341.tif 000005
【図４】
0003226341.tif 000006
【図５】
0003226341.tif 000007
【図６】
0003226341.tif 000008